(57)【要約】【課題】画面上に宛先の一覧表を表示した場合、簡単に所望の宛先を選択することができる宛先管理装置を提供する。【解決手段】送信宛先設定画面の検索条件選択欄５５で、名前、会社名、部署名、ファックス番号、メールアドレスのいずれかを選択し、検索項目入力欄５６に検索項目を入力した後、検索ボタン５４をクリックすると、検索項目、検索条件に合致した宛先にフォーカスが当てられる。そして、所望の宛先横のチェックボックス５７にチェックを入れた後、選択ボタン５８のいずれかをクリックすると、チェックが付与されている宛先が画面の右側の選択済みエリアにコピー表示され、この状態で「ＯＫ」ボタン６１をクリックすることにより、選択済みエリアにコピー表示されている宛先を送信宛先に登録することができる。【選択図】図１５
2007116407.tif 000002
【特許請求の範囲】
【請求項１】
宛先表を一覧表示する制御手段を備えた宛先管理装置であって、
インデックス番号が入力されたとき、上記制御手段が、当該インデックス番号の宛先にフォーカスを当てることを特徴とする宛先管理装置。
【請求項２】
宛先表を一覧表示する制御手段を備えた宛先管理装置であって、
検索項目により検索を実行したとき、上記制御手段が、検索項目に合致する宛先に順次フォーカスを当てることを特徴とする宛先管理装置。
【請求項３】
請求項１または請求項２に記載された宛先管理装置において、
宛先設定時あるいは文書の送信時に、上記制御手段が、宛先一覧表を表示することを特徴とする宛先管理装置。
【発明の詳細な説明】
【技術分野】
【０００１】
本発明は宛先管理装置、特に、パーソナルコンピュータ（以下、パソコンという）などの端末装置とＬＡＮなどの通信ネットワークを介して接続されるデジタル複合機等の宛先管理装置に関する。
【背景技術】
【０００２】
近時、オフィスなどにおいて、ファクシミリスステムが普及してきており、データ通信上有益な役割を果たしている。このようなシステムは、例えば、ＬＡＮなどの通信ネットワークにより、デジタル複合機や端末装置いわゆるクライアントパソコンなどを接続して構成されており、デジタル複合機は、ファクシミリ受信したデータをクライアントパソコンに転送したり、クライアントパソコンから転送先を指定したデータを受信すると、受信したデータを指定された転送先に送信するようになっている。
【０００３】
一方、デジタル複合機は、ウェブブラウザ機能を有するネットワークボードを備え、端末装置のウェブブラウザ画面からこのネットワークボードに相手先ファクス番号や相手先メールアドレス等の宛先情報を電話帳として登録し、送信を行う場合、このネットワークボードの電話帳や本体側の電話帳を呼び出して端末装置の表示部に表示し、表示された宛先情報から所望の宛先を選択して、送信を行うことができるようにしている（例えば、特許文献１参照）。
【特許文献１】特開平１１−２０５５６９号公報
【発明の開示】
【発明が解決しようとする課題】
【０００４】
上記のように、従来のデジタル複合機では、ネットワークボードに電話帳データを登録できるが、この電話帳には数千件の電話帳データを登録することができる。このため、多くの電話帳データを登録した場合、宛先のグループ設定時や文書の送信時にウェブ画面に宛先表の一覧を表示すると、多数の宛先が表示され、選択したい宛先がわかりにくいという問題があった。
また、宛先表を１ページで表示できない場合、希望の宛先情報を表示させるためには、表示画面で何度も「次ページ」表示操作を行わなければならなかった。
【０００５】
本発明は、上記の問題に鑑みてなされたもので、画面上に宛先の一覧表を表示した場合、簡単に所望の宛先を選択することができる宛先管理装置を提供することを目的とする。
【課題を解決するための手段】
【０００６】
上述の目的を達成するため、請求項１に係る発明の宛先管理装置は、宛先表を一覧表示する制御手段を備えた宛先管理装置であって、インデックス番号が入力されたとき、上記制御手段が、当該インデックス番号の宛先にフォーカスを当てることを特徴とする。
【０００７】
また、請求項２に係る発明の宛先管理装置は、宛先表を一覧表示する制御手段を備えた宛先管理装置であって、検索項目により検索を実行したとき、上記制御手段が、検索項目に合致する宛先に順次フォーカスを当てることを特徴とする。
さらに、請求項３に係る発明の宛先管理装置は、請求項１または請求項２に記載された宛先管理装置において、宛先設定時あるいは文書の送信時に、上記制御手段が、宛先一覧表を表示することを特徴とする。
【発明の効果】
【０００８】
請求項１に係る発明の宛先管理装置によれば、宛先表示画面で宛先削除や出力処理を行う場合の宛先選択やグループ設定のための宛先選択、あるいは、文書を送信する場合の宛先選択時に、宛先一覧表が表示された場合、インデックス番号を入力することにより、入力したインデックス番号の宛先にフォーカスが当てられるので、所望の宛先を簡単に選択することができる。
また、請求項２に係る発明の宛先管理装置によれば、宛先のグループ設定時や文書の送信時に、宛先一覧表が表示された場合、検索項目を入力して検索を行うことにより、検索項目に合致する宛先に順次フォーカスが当てられるので、同様に、所望の宛先を簡単に選択することができる。
【実施例】
【０００９】
以下、本発明の宛先管理装置をデジタル複合機に適用した実施例について説明する。図１はデジタル複合機を備えたシステムのネットワーク構成例を示す図であり、図２はデジタル複合機のハードウェア構成を示すブロック図である。
【００１０】
図１に示すネットワーク構成図において、１はデジタル複合機、２、３、４・・・はパソコン、５は公衆交換電話網（ＰＳＴＮ）、６はＬＡＮ（Local Area Network）、７はインターネット網である。デジタル複合機１はコピーモード、プリンタモード、ファクスモードの各機能を備えるとともに、メール送信機能も備え、ＰＳＴＮ５及びＬＡＮ６に接続されており、このＬＡＮ６に端末装置として複数のパソコン２、３、４・・・が接続されている。また、このＬＡＮ６はインターネット網７にも接続されており、デジタル複合機１はこのインターネット網７を介してメールの送受信を行うことが可能である。
【００１１】
図２はデジタル複合機１の制御系の構成を示す概略ブロック図であり、図に示すように、デジタル複合機１はＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０、ネットワークボード２１及びＬＡＮインターフェース（Ｉ／Ｆ）２２から構成され、各部がバス２３を介して接続されている。
【００１２】
ＣＰＵ１１はバス２３を介してデジタル複合機１のハードウェア各部を制御するとともに、ＲＯＭ１２に記憶されたプログラムに基づいて各種のプログラムを実行し、ＲＯＭ１２はデジタル複合機の動作に必要な種々のプログラムや操作メッセージ等を予め記憶している。また、ＲＡＭ１３はＳＲＡＭ等で構成され、プログラムの実行時に発生する一時的なデータを記憶するとともに、本体側の電話帳データを記憶する電話帳記憶領域２４を備えている。
【００１３】
表示・操作部１４は、デジタル複合機の動作状態を表示したり、種々の機能の操作画面の表示を行う表示部と、デジタル複合機を操作するための複数のキーよりなり、読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、ドットイメージデータを出力する。
【００１４】
また、画像メモリ１６は、ＤＲＡＭ等を用いて構成され、送信すべき画像データまたは受信した画像データあるいは読取部１５で読み取った画像データを記憶し、記録部１７は電子写真方式等のプリンタ装置を備え、受信したデータ、コピー原稿データあるいは外部のパソコンから送信されたプリントデータをプリントアウトする。
【００１５】
コーデック１８は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００１６】
モデム１９はバス２３に接続されており、ファクシミリ通信が可能なファクスモデムとしての機能を有し、このモデム１９は同様にバス２３に接続されたＮＣＵ２０と接続されている。ＮＣＵ２０はアナログ回線の閉結及び開放の動作を行うハードウェアであり、必要に応じてモデム１９をＰＳＴＮ５に接続する。
【００１７】
ネットワークボード２１は、デジタル複合機１本体からの操作によるファクス送信画像、スキャン画像、ファクス／メール受信の配信画像等の画像を記憶・保存するとともに、電話帳データを記憶・保存している。
また、ＬＡＮインターフェース２２はＬＡＮ６に接続され、インターネット網７からの信号を受信する一方、ＬＡＮ６に対して信号やデータを送信するものであり、信号変換やプロトコル変換などのインターフェース処理を実行する。
【００１８】
デジタル複合機１は上記のような構成を備えており、ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０からＰＳＴＮ５を通して通信相手先に送信される。また、ファクシミリ受信時には、受信した画像データがモデム１９で復調され、画像メモリ１６に蓄積された後、コーデック１８で復号されて記録部１７により印刷される。  
【００１９】
一方、ネットワークボード２１は図３の機能ブロック図に示すように、ＴＣＰ／ＩＰプロトコル制御部３１、ＨＴＴＰＤ制御部３２、ホームページ情報管理部３３、文書管理部３４、電話帳情報管理部３５からなり、これらの各部は、ＣＰＵ、ＲＯＭ、ＲＡＭ等のメモリ、磁気ディスク（ハードディスク）記憶装置等により構成されている。
【００２０】
ＴＣＰ／ＩＰプロトコル制御部３１はＴＣＰ（Transmission  Control  Protocol）／ＩＰ（Internet  Protocol）を制御し、ＨＴＴＰＤ制御部３２は、ＴＣＰ／ＩＰプロトコル制御部３１によるデータストリーム転送機能を用いてＨＴＴＰＤ（Hyper  Text  Transfer  Protocol  Deamon）機能に対する処理を実行し、パソコン２、３、４等のＷＷＷ（World  Wide  Web）ブラウザからの要求を処理する。
なお、ＨＴＴＰＤはＨＴＴＰサーバの機能を提供するデーモンで、ＵＮＩＸ（登録商標）オペレーティング・システム上でウェブサーバを運用する際に使われるものである。
【００２１】
また、ホームページ情報管理部３３は、ＨＴＴＰＤ制御部３２からのホームページ要求に対応してホームページファイルをＨＴＴＰＤ制御部３２に出力し、文書管理部３４はデジタル複合機１本体からの操作によるファクス送信文書、スキャン文書、ファクス／メール受信の配信文書等の文書を記憶・保存するととともに、ＨＴＴＰＤ制御部３２からの要求に応じて保存文書の一覧情報をＨＴＭＬ（Hyper Text Markup Language）形式のファイルに変換してＨＴＴＰＤ制御部３２に出力し、かつ、ＨＴＴＰＤ制御部３２から入力された情報を解析して、保存文書の転送、削除等の処理を行う。
さらに、電話帳情報管理部３５はパソコン２、３、４等のモニタ画面あるいは表示・操作部１４の操作部から入力されたファクス番号やメールアドレス等を電話帳データとして記憶・保存する。
【００２２】
また、このデジタル複合機１にＬＡＮ６を介して接続されるパソコン２、３、４等は、図４に示すように、ＣＰＵ４１、ＲＯＭ４２、ＲＡＭ４３、表示部４４、入力部４５、ハードディスクドライブ（ＨＤＤ）４６、ＬＡＮインターフェース４７から構成され、バス４８を介して接続されている。
ＣＰＵ４１は、バス４８を介してパソコン２のハードウェア各部を制御するとともに、ＲＯＭ４２に記憶されたソフトウェアプログラムに基づいて各種のプログラムを実行し、ＲＡＭ４３はＳＲＡＭ等で構成され、プログラムの実行時に発生する一時的なデータを記憶する。
【００２３】
表示部４４は、液晶表示装置（ＬＣＤ）又はＣＲＴディスプレイ等の表示装置であり、入力部４５はパソコン２を操作するためのキーボード等である。ＨＤＤ４６は記憶媒体を内蔵する記憶装置で、ネットワークボード２１から送信された電話帳データや文書表示プログラム等の種々のデータや機能プログラムを格納するものであり、ＬＡＮインターフェース４７はＬＡＮ６に接続され、上記のＬＡＮインターフェース２２と同様な働きをする。
【００２４】
そして、デジタル複合機１の文書管理部３４に保存された文書をパソコン２、３、４等から見る場合、ユーザがＷＷＷブラウザを起動し、例えば、パソコン２の表示部４４に表示されたＷＷＷブラウザ画面において、デジタル複合機１のＩＰアドレスを指定してアクセスを行うと、デジタル複合機１のネットワークボード２１のＨＴＴＰＤ制御部３２がこれを検知し、ホームページ情報管理部３３からＨＴＭＬで記述されたホームページファイルを読み出し、ＴＣＰ／ＩＰプロトコル制御部３１、ＬＡＮインターフェース２２、ＬＡＮ６を介してパソコン２に転送する。
【００２５】
ユーザがこのホームページから文書の一覧表示を選択して指示すると、この一覧表示要求がＬＡＮ６を介してデジタル複合機１に転送され、ネットワークボード２１のＨＴＴＰＤ制御部３２がこれを検知する。これにより、ＨＴＴＰＤ制御部３２が文書管理部３４に文書一覧転送を指示し、文書管理部３４が該当するユーザの保存文書の一覧情報をＨＴＭＬ形式のファイルに変換してパソコン２に転送するとともに、文書表示プログラムをパソコン２に転送する。
これにより、パソコン２のモニタ画面に図５に示す文書一覧リスト画面が表示され、この画面でユーザが操作を行うと、上記の文書表示プログラムに基づいて、パソコン２のＣＰＵ４１が画面の表示制御を行う。
【００２６】
図５に示すように、この文書一覧リスト画面の上部には、スキャン画像、送信文書、受信文書、共有受信文書、掲示板、回覧文書、処理依頼文書、オプションの切替タグと、「転送」、「送信」、「プリント」、「ダウンロード」、「削除」、「掲示板」、「回覧」、「処理依頼」等の機能選択ボタンが表示されている。また、文書一覧リスト画面の下部には、送信文書の場合、相手先名、送信結果、文書分類、ページ数、送信日時等が表示される。
この画面で文書の切替タグを選択することにより所望の文書分類の文書を表示することができ、また、表示された文書を指定した後、機能選択ボタンのいずれかをクリックすることにより、送信、ダウンロード等の処理を行うことが可能である。
【００２７】
また、宛先の新規登録やグループ設定を行う場合、図５の文書一覧リスト画面の上部の「オプション」タグをクリックし、表示されたオプション選択画面で「宛先表設定」を選択することにより、モニタ画面に図６に示すような、宛先表設定画面が表示される。
図６の画面では、ネットワークボードの電話帳情報管理部３５に登録されている宛先表が表示されているが、「本体宛先表」のタグをクリックすることにより、デジタル複合機本体１の電話帳記憶領域２４に登録されている電話帳の宛先表を表示することができ、また、「ボードグループ」を選択することにより、ネットワークボード２１の電話帳情報管理部３５に登録されているグループ毎の電話帳の宛先表を表示することができる。
【００２８】
さらに、「新規作成」をクリックすると、各宛先表の宛先入力画面が表示され、電話帳データを新規登録することができ、宛先の左端のチェックボックスをチェックして選択し、「削除」をクリックすることにより、選択した宛先の電話帳データを削除することができる。
また、「インポート」をクリックすることにより、他のファイルの電話帳データを取り込むことができ、宛先を選択して「エクスポート」をクリックすることにより、選択した宛先の電話帳データを外部のファイル等に出力することができる。さらに、「ボード宛先表へエクスポート」をクリックすることにより、本体側の電話帳データをネットワークボード２１の電話帳情報管理部３５に追加することができる。
【００２９】
また、図６の宛先表設定画面の上部の「ボードグループ」タグをクリックして図７に示すグループの宛先表設定画面を表示し、この画面で「新規作成」ボタンをクリックすることにより、図８に示すグループ設定画面が表示される。図８に示すように、この画面にはネットワークボードに登録されている宛先が表示されているので、この中から任意の宛先を選択し、画面右側のグループ名欄にグループ名を入力した後、「設定」ボタンをクリックすることにより、グループを設定することができる。
【００３０】
一方、文書をファクス送信またはメール送信する場合、図５の文書一覧リスト画面において、送信したい文書をチェックして「送信」ボタンをクリックすることにより、図９に示す送信ダイアログ画面がパソコン２のモニタ画面に表示される。
この送信ダイアログ画面には、図に示すように、ファクス送信宛先入力欄、電子メール送信宛先入力欄、電子メール本文編集欄、送信文書指示欄、配布指示欄、履歴保存指示欄等が表示されている。
【００３１】
送信文書指示欄では、当初、図５の文書一覧リストでチェックした文書が表示されているが、「変更」ボタンをクリックすることにより、送信文書選択画面が表示されるので、この画面で送信文書の変更を行うことが可能である。また、この欄で、電子メールで送信するときの添付ファイル形式の選択も行うことができる。
【００３２】
そして、ファクス送信宛先入力欄または電子メール送信宛先入力欄の右端の「宛先表／変更」ボタンをクリックすることにより、図１０に示すように送信宛先設定画面が表示されるので、この画面で所望の宛先を選択することができる。
この送信宛先設定画面では、図１０に示すように、「本体宛先表」、「ボード宛先表」、「ボードグループ」の選択タグをクリックすることにより、任意の電話帳データの宛先を表示することができ、その中から任意の宛先を選択することができる。
【００３３】
次に、図８のグループ設定画面または図１０の送信宛先設定画面でユーザが所望の宛先を選択する場合の作用を図１１−１、図１１−２のフローチャートにより説明する。
パソコン２のＣＰＵ４１は、図８のグループ設定画面または図１０の送信宛先設定画面を表示すると、図１１−１、図１１−２のフローチャートに示す宛先選択プログラムを開始し、まず、インデックス番号入力エリア５１に番号が入力されたか否かを判定し（ステップ１０１）、インデックス番号入力エリア５１に番号が入力されたと判定した場合、その前に入力されていたインデックス番号のフォーカスを解除した（ステップ１０２）後、ステップ１０１に戻る。
【００３４】
また、インデックス番号入力エリア５１に番号が入力されていないと判定した場合、ＣＰＵ４１は、インデックス番号表示ボタン５２がクリックされたか否かを判定し（ステップ１０３）、インデックス番号表示ボタン５２がクリックされたと判定した場合、該当するインデックス番号の宛先にフォーカスを当てた（ステップ１０４）後、ステップ１０１に戻る。
【００３５】
これにより、例えば、図８のグループ設定画面でインデックス番号入力エリア５１に番号が入力された場合、０００１の宛先が明るく表示されていたのが消え、インデックス番号入力エリア５１に０００４が入力されてインデックス番号表示ボタン５２がクリックされると、図１２に示すように、０００４の宛先が明るく表示されてフォーカスが当てられる。
なお、この例ではフォーカスを当てる場合に、宛先表示を明るくしたが、下線を付加したり、宛先表示を白黒反転表示させたりすることにより、フォーカスを当てるようにすることもできる。
【００３６】
また、図１３に示すように、送信宛先設定画面においても、同様に、インデック番号を入力することにより、その番号の宛先を明るく表示することができる。
以上のように、宛先のグループ設定のための宛先選択時や送信宛先選択時に、選択したい宛先のインデックス番号を知っている場合には、そのインデックス番号を入力することにより、その番号の宛先にフォーカスが当てられるので、所望の宛先を簡単に選択することができる。
【００３７】
一方、ステップ１０３でインデックス番号表示ボタン５２がクリックされていないと判定した場合、ＣＰＵ４１は、検索リセットボタン５３がクリックされたか否かを判定し（ステップ１０５）、検索リセットボタン５３がクリックされたと判定した場合、そのときの検索宛先のフォーカスを解除した（ステップ１０６）後、ステップ１０１に戻る。
【００３８】
また、検索リセットボタン５３がクリックされていないと判定した場合、ＣＰＵ４１は、検索ボタン５４がクリックされたか否かを判定し（ステップ１０７）、検索ボタン５４がクリックされたと判定した場合、検索項目、検索条件に該当する宛先があるか否かを判定し（ステップ１０８）、検索項目、検索条件に該当する宛先がないと判定した場合、ステップ１０１に戻る。
【００３９】
ステップ１０８で検索項目、検索条件に該当する宛先があると判定した場合、ＣＰＵ４１は、検索項目、検索条件に合致した宛先がそのときフォーカス中か否かを判定し（ステップ１０９）、合致した宛先がフォーカス中でないと判定した場合、検索項目、検索条件に合致する宛先にフォーカスを当てた（ステップ１１０）後、ステップ１０１に戻る。
また、合致した宛先がフォーカス中であると判定した場合、ＣＰＵ４１は、検索項目、検索条件に合致する次の宛先にフォーカスを当てた（ステップ１１１）後、ステップ１０１に戻る。
【００４０】
これにより、例えば、図１４に示すように、送信宛先設定画面の検索条件選択欄５５で、名前、会社名、部署名、ファックス番号、メールアドレスのいずれかを選択し、検索項目入力欄５６に検索項目を入力した後、検索ボタン５４をクリックすると、図１５に示すように、検索項目、検索条件に合致した宛先にフォーカスが当てられるので、所望の宛先を簡単に選択することができる。
【００４１】
一方、ステップ１０７で検索ボタン５４がクリックされていないと判定した場合、ＣＰＵ４１は、チェックが入っていない宛先横のチェックチェック５７がクリックされたか否かを判定し（ステップ１１２）、チェックが入っていないチェックボックス５７がクリックされたと判定した場合、選択された宛先のチェックボックス５７にチェックを表示した（ステップ１１３）後、ステップ１０１に戻る。
このとき、所望の宛先にフォーカスが当てられていれば、チェックを入れたいチェックボックスを容易に識別することができる。
【００４２】
また、ステップ１１２でチェックが入っていないチェックボックスがクリックされていないと判定した場合、ＣＰＵ４１は、チェックが入っているチェックボックス５７がクリックされたか否かを判定することにより、チェックを外すか否かを判定し（ステップ１１４）、チェックの入ったチェックボックス５７がクリックされたと判定した場合、選択された宛先のチェックボックス５７からチェックを外して表示した（ステップ１１５）後、ステップ１０１に戻る。
【００４３】
さらに、ステップ１１４でチェックが入っているチェックボックスがクリックされていないと判定した場合、ＣＰＵ４１は、選択ボタン５８、すなわち、「Ｆａｘ−＞」、「Ｔｏ−＞」、「Ｃｃ−＞」、「Ｂｃｃ−＞」のいずれかがクリックされたか否かを判定し（ステップ１１６）、選択ボタン５８のいずれかがクリックされたと判定した場合、図１５に示すように、チェックボックスにチェックが付与されている宛先を画面の右側の選択済みエリアにコピー表示した（ステップ１１７）後、ステップ１０１に戻る。
【００４４】
また、ステップ１１６で選択ボタン５８がクリックされていないと判定した場合、ＣＰＵ４１は、実行ボタン、すなわち、図１２の「設定」ボタン５９または図１５の「ＯＫ」ボタン６１がクリックされたか否かを判定し（ステップ１１８）、実行ボタンがクリックされたと判定した場合、選択済みエリアにコピー表示されている宛先で処理を実行した（ステップ１１９）後、プログラムを終了する。
さらに、ステップ１１８で実行ボタンがクリックされていないと判定した場合、ＣＰＵ４１は、終了ボタン、すなわち、図１２の「戻る」ボタン６０または図１５の「閉じる」ボタン６２がクリックされたか否かを判定し（ステップ１２０）、終了ボタンがクリックされていないと判定した場合、ステップ１０１にもどり、終了ボタンがクリックされたと判定した場合、プログラムを終了する。
【００４５】
これにより、図１２のグループ設定画面で「設定」ボタン５９をクリックすることにより、選択済みエリアにコピー表示されている宛先をグループ名入力欄に入力されたグループ名で登録した後、グループ設定画面を閉じて、図７の宛先表設定画面に戻ることができ、「戻る」ボタン６０をクリックすることにより、グループ設定を中止して図７の宛先表設定画面に戻ることができる。
【００４６】
一方、図１６の送信宛先設定画面は、選択済みエリアの「Ｆａｘ」、「Ｔｏ」、「Ｃｃ」にそれぞれ宛先がコピー表示されている状態を示しており、この状態で「ＯＫ」ボタン６１をクリックすることにより、選択済みエリアにコピー表示されている宛先を送信宛先に登録した後、送信宛先設定画面を閉じて、図９の送信ダイアログ画面に戻ることができ、「閉じる」ボタン６２をクリックすることにより、送信宛先設定を中止して図９の送信ダイアログ画面に戻ることができる。
【００４７】
なお、上記の実施例では、グループ設定画面、送信宛先設定画面で、インデックス番号入力や検索により所望の宛先を選択できるようにしたが、図１７に示すように、宛先表設定画面でインデックス番号入力エリア５１に番号を入力して表示ボタン５２をクリックすることにより、所望の宛先にフォーカスを当てるようにすることも可能である。
【００４８】
また、上記の実施例では、デジタル複合機側に保存されている宛先情報及び文書表示プログラムをパソコン側に転送して、パソコン側で検索処理、表示処理を実行したが、パソコン側から画面の操作情報をデジタル複合機に送信し、デジタル複合機側で検索処理、表示処理を実行するようにすることもできる。
さらに、上記の実施例では、本発明の宛先管理装置をデジタル複合機に適用した例について説明したが、メール機能を持たない通常のファクシミリ装置にも本発明を適用することが可能である。
【図面の簡単な説明】
【００４９】
【図１】デジタル複合機を備えたシステムのネットワーク構成例を示す図である。
【図２】デジタル複合機のハードウェア構成を示すブロック図である。
【図３】ネットワークボードの構成を示す機能ブロック図である。
【図４】パソコンのハードウェア構成を示すブロック図である。
【図５】文書一覧リスト画面の一例を示す図である。
【図６】宛先表設定画面の一例を示す図である。
【図７】グループの宛先表設定画面の一例を示す図である。
【図８】グループ設定画面の一例を示す図である。
【図９】送信ダイアログ画面の一例を示す図である。
【図１０】送信宛先設定画面の一例を示す図である。
【図１１−１】ユーザが所望の宛先を選択する場合の作用を示すフローチャートである。
【図１１−２】ユーザが所望の宛先を選択する場合の作用を示すフローチャートである。
【図１２】インデックス番号の宛先が明るく表示されたグループ設定画面の一例を示す図である。
【図１３】インデックス番号の宛先が明るく表示された送信宛先設定画面の一例を示す図である。
【図１４】送信宛先設定画面図の検索条件選択欄で検索条件を選択している画面の一例を示す図である。
【図１５】検索項目に合致した宛先にフォーカスが当てられている送信宛先設定画面の一例を示す図である。
【図１６】複数の宛先が選択済みエリアにコピー表示されている送信宛先設定画面の一例を示す図である。
【図１７】インデック番号の宛先にフォーカスが当てられている宛先表設定画面の一例を示す図である。
【符号の説明】
【００５０】
１  デジタル複合機
２、３、４  パソコン
５  ＰＳＴＮ
６  ＬＡＮ
７  インターネット網
１１、４１  ＣＰＵ
１２、４２  ＲＯＭ
１３、４３  ＲＡＭ
１４  表示・操作部
１５  読取部
１６  画像メモリ
１７  記録部
１８  コーデック
１９  モデム
２０  ＮＣＵ
２１  ネットワークボード
２２、４７  ＬＡＮ  Ｉ／Ｆ
２３、４８  バス
２４  電話帳記憶領域
３１  ＴＣＰ／ＩＰプロトコル制御部
３２  ＨＴＴＰＤ制御部
３３  ホームページ情報管理部
３４  文書管理部
３５  電話帳情報管理部
４４  表示部
４５  入力部
４６  ＨＤＤ
【図１】
2007116407.tif 000003
【図２】
2007116407.tif 000004
【図３】
2007116407.tif 000005
【図４】
2007116407.tif 000006
【図５】
2007116407.tif 000007
【図６】
2007116407.tif 000008
【図７】
2007116407.tif 000009
【図８】
2007116407.tif 000010
【図９】
2007116407.tif 000011
【図１０】
2007116407.tif 000012
【図１１−１】
2007116407.tif 000013
【図１１−２】
2007116407.tif 000014
【図１２】
2007116407.tif 000015
【図１３】
2007116407.tif 000016
【図１４】
2007116407.tif 000017
【図１５】
2007116407.tif 000018
【図１６】
2007116407.tif 000019
【図１７】
2007116407.tif 000020